(57)【要約】【解決課題】溝状冷却水流路内にシリンダボア壁の保温部材を組み付け易くすることができるシリンダボア壁の保温部材の組み付け方法を提供すること。【解決手段】内燃機関のシリンダブロックのシリンダボア壁の溝状冷却水流路側の壁面に接するための接触面を有し、該接触面を形成する部位がエラストマ又は樹脂材からなるシリンダボア壁の保温部材の該接触面に、摩擦低減剤を塗布し又は貼り付けてから、該シリンダボア壁の保温部材を、該溝状冷却水流路内に入れ込み、該溝状冷却水流路内に該シリンダボア壁の保温部材を組み付けることを特徴とするシリンダボア壁の保温部材の組み付け方法。【選択図】図８
2014177926.tif 000002
【特許請求の範囲】
【請求項１】
内燃機関のシリンダブロックのシリンダボア壁の溝状冷却水流路側の壁面に接するための接触面を有し、該接触面を形成する部位がエラストマ又は樹脂材からなるシリンダボア壁の保温部材の該接触面に、摩擦低減剤を塗布し又は貼り付けてから、該シリンダボア壁の保温部材を、該溝状冷却水流路内に入れ込み、該溝状冷却水流路内に該シリンダボア壁の保温部材を組み付けることを特徴とするシリンダボア壁の保温部材の組み付け方法。
【請求項２】
前記接触面を形成する部位の材質が、エチレンプロピレンジエンゴム、ニトリルブタジエンゴム、シリコーンゴム又はフッ素ゴムであることを特徴とする請求項１記載のシリンダボア壁の保温部材の組み付け方法。
【請求項３】
前記摩擦低減剤がパラフィンワックス又はフッ素樹脂粉末であることを特徴とする請求項１又は２いずれか１項記載のシリンダボア壁の保温部材の組み付け方法。
【請求項４】
前記摩擦低減剤が水又はＬＬＣ（不凍冷却水）であることを特徴とする請求項１又は２いずれか１項記載のシリンダボア壁の保温部材の組み付け方法。
【発明の詳細な説明】
【技術分野】
【０００１】
本発明は、内燃機関のシリンダブロックのシリンダボア壁の溝状冷却水流路側の壁面に接触させて配置される保温部材を、溝状冷却水流路内に組み付けるための組み付け方法に関する。
【背景技術】
【０００２】
内燃機関では、ボア内のピストンの上死点で燃料の爆発が起こり、その爆発によりピストンが押し下げられるという構造上、シリンダボア壁の上側は温度が高くなり、下側は温度が低くなる。そのため、シリンダボア壁の上側と下側では、熱変形量に違いが生じ、上側は大きく膨張し、一方、下側の膨張が小さくなる。
【０００３】
その結果、ピストンのシリンダボア壁との摩擦抵抗が大きくなり、これが、燃費を下げる要因となっているので、シリンダボア壁の上側と下側とで熱変形量の違いを少なくすることが求められている。
【０００４】
そこで、従来より、シリンダボア壁の壁温を均一にするために、溝状冷却水流路内にスペーサーを設置し、溝状冷却水流路内の冷却水の水流を調節して、冷却水によるシリンダボア壁の上側の冷却効率と及び下側の冷却効率を制御することが試みられてきた。例えば、特許文献１には、内燃機関のシリンダブロックに形成された溝状冷却用熱媒体流路内に配置されることで溝状冷却用熱媒体流路内を複数の流路に区画する流路区画部材であって、前記溝状冷却用熱媒体流路の深さに満たない高さに形成され、前記溝状冷却用熱媒体流路内をボア側流路と反ボア側流路とに分割する壁部となる流路分割部材と、前記流路分割部材から前記溝状冷却用熱媒体流路の開口部方向に向けて形成され、かつ先端縁部が前記溝状冷却用熱媒体流路の一方の内面を越えた形に可撓性材料で形成されていることにより、前記溝状冷却用熱媒体流路内への挿入完了後は自身の撓み復元力により前記先端縁部が前記内面に対して前記溝状冷却用熱媒体流路の深さ方向の中間位置にて接触することで前記ボア側流路と前記反ボア側流路とを分離する可撓性リップ部材と、を備えたことを特徴とする内燃機関冷却用熱媒体流路区画部材が開示されている。
【０００５】
ところが、引用文献１の内燃機関冷却用熱媒体流路区画部材によれば、ある程度のシリンダボア壁の壁温の均一化が図れるので、シリンダボア壁の上側と下側との熱変形量の違いを少なくすることができるものの、近年、更に、シリンダボア壁の上側と下側とで熱変形量の違いを少なくすることが求められている。
【０００６】
そこで、特許文献２には、シリンダボア壁の壁温の均一性が高い内燃機関を提供すること目的とするシリンダボア壁の保温部材が開示されている。この特許文献２では、保温部材の材質としては、ゴム材や樹脂材が挙げられている。
【先行技術文献】
【特許文献】
【０００７】
【特許文献１】特開２００８−３１９３９号公報（特許請求の範囲）
【特許文献２】国際公開第２０１１／１６２０９６号（特許請求の範囲）
【発明の開示】
【発明が解決しようとする課題】
【０００８】
接触面がゴム材又は樹脂材からなるシリンダボア壁の保温部材は、溝状冷却水流路内に入れ込まれるときに、保温部材の接触面が溝状冷却水流路の壁面に接触しながら、溝状冷却水流路の下に向けて入れ込まれる。そして、接触面を形成する部位がゴム材又は樹脂材からなると、溝状冷却水流路の壁面と接触面との摩擦力が大きくなる。
【０００９】
そのため、シリンダボア壁の保温部材のシリンダブロックへの組み付けのために、大きな力が必要となるため、特別の治具が必要となったり、場合によっては組み付け自体ができなくなったり、あるいは、組み付け作業に時間がかかり過ぎたりするという問題が生じるおそれがある。
【課題を解決するための手段】
【００１０】
本発明者らは、上記従来技術における課題を解決すべく、鋭意研究を重ねた結果、接触面を形成する部位がゴム材等のエラストマ又は樹脂材からなるシリンダボア壁の保温部材を、溝状冷却水流路内に組み付ける際に、接触面に摩擦低減剤を塗布し又は貼り付けてから、シリンダボア壁の保温部材を、溝状冷却水流路内に入れ込むことにより、溝状冷却水流路内にシリンダボア壁の保温部材を組み付け易くすることができるということを見出し、本発明を完成させた。
【００１１】
すなわち、本発明は、内燃機関のシリンダブロックのシリンダボア壁の溝状冷却水流路側の壁面に接するための接触面を有し、該接触面を形成する部位がエラストマ又は樹脂材からなるシリンダボア壁の保温部材の該接触面に、摩擦低減剤を塗布し又は貼り付けてから、該シリンダボア壁の保温部材を、該溝状冷却水流路内に入れ込み、該溝状冷却水流路内に該シリンダボア壁の保温部材を組み付けることを特徴とするシリンダボア壁の保温部材の組み付け方法を提供するものである。
【発明の効果】
【００１２】
本発明によれば、溝状冷却水流路内にシリンダボア壁の保温部材を組み付け易くすることができる。
【図面の簡単な説明】
【００１３】
【図１】シリンダボア壁の保温部材がシリンダブロックに設置されている状態を示す模式的な平面図である。
【図２】図１のｘ−ｘ線端面図である。
【図３】図１中のシリンダブロックの斜視図である。
【図４】図１に示すシリンダボア壁の保温部材の模式図である。
【図５】シリンダボア壁の保温部材及び固定部材の形態例を示す模式図である。
【図６】保温部材１の設置位置を示す図である。
【図７】シリンダボア壁の周方向２３を示す図である。
【図８】溝状冷却水流路内にシリンダボア壁の保温部材を入れ込む様子を示す模式図である。
【図９】シリンダボア壁の保温部材の形態例を示す模式図である。
【発明を実施するための形態】
【００１４】
本発明のシリンダボア壁の保温部材の組み付け方法が実施されるシリンダボア壁の保温部材及び内燃機関の形態例について、図１〜図４を参照して説明する。図１〜図４は、シリンダボア壁の保温部材及びそれが設置されるシリンダブロックの形態例を示すものであり、図１は、シリンダボア壁の保温部材がシリンダブロックに設置されている状態を示す模式的な平面図であり、図２は、図１のｘ−ｘ線端面図であり、図３は、図１中のシリンダブロックの斜視図であり、図４は、図１に示すシリンダボア壁の保温部材の模式図であり、（４−１）は平面図であり、（４−２）は図１の端面図であり、（４−３）は側面図である。なお、図１に示すシリンダブロックには、実際には複数の保温部材が設置されるが、図１では、そのうちの１つを記載し、他の記載を省略した。また、図２では、二点鎖線より下側部分については、記載を省略した。
【００１５】
図１及び図３に示すように、保温部材１ａが設置される車両搭載用内燃機関のオープンデッキ型のシリンダブロック１１には、ピストンが上下するためのボア１２、及び冷却水を流すための溝状冷却水流路１４が形成されている。そして、ボア１２と溝状冷却水流路１４とを区切る壁が、シリンダボア壁１３である。また、シリンダブロック１１には、溝状冷却水流路１４へ冷却水を供給するための冷却水供給口１５及び冷却水を溝状冷却水流路１４から排出するための冷却水排出口１６が形成されている。
【００１６】
図４に示すように、保温部材１ａは、シリンダボア壁１３に接する接触面５ａを有している。接触面５ａは、シリンダボア壁１３の壁面に接することができるように、シリンダボア壁１３の壁面に沿った形状となっている。接触面５ａを接触面側から見たときの形状は、略矩形状である。また、保温部材１ａには、連結部３ａ及び対壁接触部４ａからなる固定部材２ａが取り付けられている。そして、図１及び図２に示すように、接触面５ａが、シリンダボア壁１３の溝状冷却水流路１４側の壁面１７に接するように、保温部材１ａ及び固定部材２ａが、溝状冷却水流路１４内に設置されている。なお、保温部材１ａの接触面５ａは、溝状冷却水流路１４の壁面１７の保温部位の全てと接触する。
【００１７】
内燃機関は、シリンダブロック及びシリンダブロックの溝状冷却水流路内に固定部材により固定されている保温部材を有し、シリンダブロック、保温部材及び固定部材の他に、ピストン、シリンダヘッド、ヘッドガスケット等を有する。
【００１８】
そして、図８示すように、シリンダボア壁の保温部材１ａを、シリンダブロック１１の溝状冷却水流路１４の上側から、溝状冷却水流路１４内に入れ込み、溝状冷却水流路１４の中下部に設置する。このとき、接触面５ａに、予めパラフィンワックス、フッ素樹脂粉末、ポリエチレンフィルム等の摩擦低減剤を塗布し又は貼り付けてから、シリンダボア壁の保温部材１ａを、シリンダブロック１１の溝状冷却水流路１４内に入れ込む作業を行う。
【００１９】
このようにして、本発明のシリンダボア壁の保温部材の組み付け方法では、シリンダボア壁の保温部材１ａを、シリンダブロック１１の溝状冷却水流路１４内に組み付ける。
【００２０】
本発明のシリンダボア壁の保温部材の組み付け方法は、内燃機関のシリンダブロックのシリンダボア壁の溝状冷却水流路側の壁面に接するための接触面を有し、該接触面を形成する部位がエラストマ又は樹脂材からなるシリンダボア壁の保温部材の該接触面に、摩擦低減剤を塗布し又は貼り付けてから、該シリンダボア壁の保温部材を、該溝状冷却水流路内に入れ込み、該溝状冷却水流路内に該シリンダボア壁の保温部材を組み付けることを特徴とするシリンダボア壁の保温部材の組み付け方法である。
【００２１】
本発明のシリンダボア壁の保温部材の組み付け方法に係るシリンダボア壁の保温部材は、内燃機関のシリンダブロックの溝状冷却水流路側のシリンダボア壁の壁面に接するための接触面を有し、接触面を形成する部位がエラストマ又は樹脂材からなる。
【００２２】
シリンダボア壁の保温部材は、接触面が溝状冷却水流路側のシリンダボア壁の壁面に接することにより、溝状冷却水流路側のシリンダボア壁の壁面を覆うための部材である。そのため、シリンダボア壁の保温部材は、冷却水が溝状冷却水流路側のシリンダボア壁の壁面に直接接触することを防ぐことができる。
【００２３】
シリンダボア壁の保温部材では、溝状冷却水流路側のシリンダボア壁の壁面に接する面である接触面の表面形状は、溝状冷却水流路側のシリンダボア壁の壁面の形状と合致するように、シリンダブロックの形態例毎に、適宜調節される。
【００２４】
シリンダボア壁の保温部材の接触面を形成している部位は、エラストマ又は樹脂材からなる。エラストマとしては、ソリッドゴム、発砲ゴム等のゴム材、硬質ウレタン、軟質ウレタン等の発砲ウレタン等が挙げられる。接触面を形成している部位の材質としては、耐ＬＬＣ性（不凍冷却水への耐性）や耐熱性を考慮して、天然ゴム、ブタジエンゴム、ＥＰＤＭ（エチレンプロピレンジエンゴム）、ＮＢＲ（ニトリルブタジエンゴム）、シリコーンゴム、フッ素ゴム等のソリッドゴム；ＥＰＤＭ（エチレンプロピレンジエンゴム）、ＮＢＲ（ニトリルブタジエンゴム）、フッ素ゴム等の発砲ゴム；軟質ウレタン、硬質ウレタン；熱可塑性樹脂（ナイロン樹脂など）、熱硬化性樹脂（フェノール樹脂、メラミン樹脂など）等の樹脂材が挙げられる。これらのうち、保温部材の接触面を形成する材質としては、ＥＰＤＭ、ＮＢＲ等のゴム系材料が、弾性及び密着性に優れ、また、耐熱性が優れる点で、好ましい。
【００２５】
シリンダボア壁の保温部材の厚み（図４中、符号ｔ）は、溝状冷却水流路の幅、保温部材の材質、使用期間、使用条件等により、適宜選択される。
【００２６】
シリンダボア壁の保温部材が、溝状冷却水流路内に設置されることにより、溝状冷却水流路側のシリンダボア壁の保温部位に冷却水が当たらないようにされる。更に、シリンダボア内壁の温度分布が、目的とする温度分布となるように、シリンダボア壁の保温部材の形状、配置、設置位置、数等を適宜選択する。
【００２７】
また、シリンダボア壁の保温部材の適用温度領域は、−４０〜２００℃である。そのため、シリンダボア壁の保温部材の耐熱性は、好ましくは１２０℃以上、特に好ましくは１５０℃以上である。また、シリンダボア壁の保温部材には、耐ＬＬＣ性が求められる。
【００２８】
また、シリンダボア壁の保温部材は、形状を保持するために、保温部材の内部又は接触面とは反対の裏面に、補強材を有してもよい。
【００２９】
シリンダボア壁の保温部材は、固定部材により、接触面がシリンダボア壁に接するように固定される。図１、図２及び図４に示す形態例では、固定部材２ａにより、シリンダボア壁の保温部材１ａが固定される。固定部材２ａは、連結部３ａ及び対壁接触部４ａからなる。対壁接触部４ａは、シリンダボア壁１３とは反対側の溝状冷却水流路１４の壁面１８に接するので、対壁接触部４ａの接触面の表面形状は、壁面１８の形状である。連結部３ａは、保温部材１ａと対壁接触部とを連結するものである。そして、連結部３ａは、図４中（４−３）に示すように、冷却水が流れる方向２１に上り傾斜の形状であることが、冷却水が流れた時に、冷却水の水流で、保温部材１ａ及び対壁接触部４ａに、溝状冷却水流路１４の下方に向かって押し付けられる力が加えられるので、保温部材１ａが、シリンダボア壁１３に押し付けられ固定され易くなる点で好ましい。なお、図４中（４−３）では、連結部３ａの輪郭を点線で示した。
【００３０】
シリンダボア壁の保温部材において、固定部材としては、図１、図２及び図４に示す形態例に限定されるものではなく、例えば、図５に示すように、連結部３ｂ、対壁接触部４ｂ及び埋め込み部２２からなる固定部材１ｂが挙げられる。図５は、シリンダボア壁の保温部材及び固定部材の形態例を示す模式図であり、図５中（５−１）は固定部材１ｂの平面図であり、（５−２）は（５−１）のｙ−ｙ線で切った端面図である。固定部材１ｂでは、埋め込み部２２は、保温部材１ｂの内部に埋め込まれている。そして、連結部３ｂ、対壁接触部４ｂ及び埋め込み部２２のバネ付勢により、保温部材１ｂが、シリンダボア壁に押し付けられて固定される。
【００３１】
なお、これらの固定部材は、あくまでも形態例であり、保温部材の接触面がシリンダボア壁の壁面に接するように、保温部材をシリンダブロックの溝状冷却水流路内に固定できるものであればよい。
【００３２】
図１、図２及び図４に示す形態例は、シリンダボア壁の壁面の保温部位の全てと接触する接触面を有しているが、シリンダボア壁の保温部材の接触面の形態は、これに限定されるものではない。例えば、他には、図９に示す形態例が挙げられる。図９は、シリンダボア壁の保温部材の形態例を示す模式図であり、（９−１）は平面図であり、（９−２）は端面図であり、（９−３）は接触面側から見た図である。図９中、シリンダボア壁の保温部材３１は、シリンダボア壁に接する接触面３５を有している。接触面３５は、シリンダボア壁の壁面に接することができるように、シリンダボア壁の壁面に沿った形状となっている。そして、（９−３）に示すように、接触面３５を接触面３５側から見たとき（図９の（９−２）の符号３９で示す方向に見たとき）の形状は、シリンダボア壁の壁面の保温部位の外縁近傍を囲むような略ロの字形状となっている。シリンダボア壁の保温部材３１は、保温部材の固定板３６に固定され、固定板３６には、連結部３ａ及び対壁接触部４ａからなる固定部材２ａが取り付けられている。
【００３３】
シリンダボア壁の保温部材３１では、シリンダボア壁の保温部材３１の接触面３５は、接触面側から見たときに溝状冷却水流路の壁面の保温部位の外縁近傍を囲む略ロの字状であるので、接触面３５は、溝状冷却水流路の壁面の保温部位の外縁近傍とのみ接触し、溝状冷却水流路の壁面の保温部位の外縁より内側の保温部位に接触する面はない。保温部材の固定板３６には、貫通孔３７が形成されている。この貫通孔３７は、シリンダボア壁の保温部材３１が溝状冷却水流路内に設置され、溝状冷却水流路に冷却水が流されたときに、貫通孔３７を通って保温部材の内側部分３８に冷却水を流れ込ませるための貫通孔である。そして、保温部材の内側部分３８内に入った冷却水は、溝状冷却水流路の壁面とシリンダボア壁の保温部材３１と保温部材の固定板３６との間に閉じ込められた状態となり、保温部材の固定板３６の外側を流れる冷却水との入れ替わりが少ないために、その温度が高くなる。そのことにより、溝状冷却水流路の壁面の保温部位が、温度が高くなった保温部材の内側部分３８の冷却水と、溝状冷却水流路の壁面の保温部位の外縁近傍と接触するシリンダボア壁の保温部材３１とにより覆われて、保温される。
【００３４】
なお、シリンダボア壁の保温部材の全体形状及び固定部材の形状は、溝状冷却水流路に冷却水が流れるのを妨げる形状でなければ、特に制限されない。
【００３５】
図１に示す形態例では、シリンダボア壁の保温部材により、３つのシリンダボアのうち中央のシリンダボアの片側の壁面のみが保温されているが、これに限定されるものではなく、図６に示す形態例のように、シリンダボア壁の周方向の全部が覆われていてもよい。あるいは、シリンダボア壁の周方向の一部に、シリンダボア壁の保温部材に覆われていない部分があってもよい。なお、図６では、黒く塗りつぶした部分が、保温部材１の設置位置を示す。また、シリンダボア壁の周方向２３とは、図７に示すように、シリンダボア壁１３の外周を囲む方向であり、シリンダボア壁１３を横から見たときのシリンダボア壁１３の左右方向である。図７中、（７−１）はシリンダボア壁１３のみを示す平面図であり、（７−２）はシリンダボア壁１３のみを示す正面図である。
【００３６】
図１に示す形態例では、シリンダボア壁の保温部材は、３つのシリンダボアのうちの１つのシリンダボアの片側の壁面のみと接触しているが、これに限定されるものではなく、例えば、シリンダボア壁の保温部材は、２つ以上のシリンダボアのボア壁と接触できるような形状であってもよい。２つ以上のシリンダボアのボア壁と接触できるようなシリンダボア壁の保温部材としては、例えば、図１に示す形態例のシリンダボア壁の保温部材１ａが、左右に２つ以上連結されたものが挙げられる。
【００３７】
内燃機関において、シリンダボア壁の上下方向において、シリンダボア壁の保温部材の設置位置は、シリンダボア壁の保温部材の上下方向の上端の位置が、溝状冷却水流路の上端を基準として、溝状冷却水流路側の上端から下端までの長さの１／３の長さ分下側の位置より下側である。なお、溝状冷却水流路の上端を基準として、溝状冷却水流路の上端から下端までの長さの１／３の長さ分下側の位置とは、図２中、溝状冷却水流路の上端１３１から下端１３２までの長さの１／３の長さ分だけ、溝状冷却水流路の上端１３１より下側に下がった位置を指す。なお、シリンダボア壁の保温部材の上下方向の下端の位置は、溝状冷却水流路の下端１３２と一致していることが好ましいが、シリンダボア壁の保温部材の作製上の都合や、溝状冷却水流路の形状等により、シリンダボア壁の保温部材の上下方向の下端の位置が、溝状冷却水流路の下端１３２より上であってもよい。本発明の効果を損なわない程度であれば、シリンダボア壁の保温部材の上下方向の下端の位置が、溝状冷却水流路の下端１３２より上にあってもよい。
【００３８】
そして、本発明のシリンダボア壁の保温部材の組み付け方法では、シリンダボア壁の保温部材の接触面に、摩擦低減剤を塗布し又は貼り付けてから、シリンダボア壁の保温部材を、溝状冷却水流路内に入れ込んで、溝状冷却水流路内にシリンダボア壁の保温部材を組み付ける。
【００３９】
摩擦低減剤としては、シリンダボア壁の壁面とシリンダボア壁の保温部材の接触面との摩擦を低減し、且つ、ＬＬＣに悪影響を及ぼし難いものであれば、特に制限されず、例えば、パラフィンワックス、鉱油系潤滑油、炭化水素系合成潤滑油等の炭化水素系潤滑剤、グリス（石鹸グリス、シリコングリス、フッ素グリス）、フッ素系摩擦低減剤、シリコン系摩擦低減剤、ポリテトラフルオロエチレン（ＰＴＦＥ）等のフッ素樹脂の粉末、テープ又はシート、ポリエチレンテープなどが挙げられる。
【００４０】
摩擦低減剤としては、パラフィンワックス、炭化水素系潤滑油等の炭化水素系潤滑剤、ポリテトラフルオロエチレン（ＰＴＦＥ）等のフッ素樹脂の粉末が好ましく、ＬＬＣに悪影響を及ぼし難い点でパラフィンワックスが特に好ましい。
【００４１】
また、摩擦低減剤としては、水又はＬＬＣ（不凍冷却水）も好適に用いられる。摩擦低減剤として用いる水としては、水道水、工業用水等が挙げられる。
【００４２】
摩擦低減剤は、液体であっても固体であってもよい。摩擦低減剤が固体の場合、固体の摩擦低減剤の形態としては、粉末状、テープ状、シート状が挙げられる。また、摩擦低減剤は、水や溶剤に溶解又は分散されたものであってもよい。
【００４３】
シリンダボア壁の保温部材の接触面に、摩擦低減剤を塗布し又は貼り付ける方法としては、特に制限されず、液体の摩擦低減剤、あるいは、液体又は固体の摩擦低減剤が溶剤又は水に溶解又は分散されている摩擦低減剤塗装用液等を、刷毛等を用いて接触面に塗布する方法、液体の摩擦低減剤、あるいは、液体又は固体の摩擦低減剤が溶剤又は水に溶解又は分散されている摩擦低減剤塗装用液等を、スプレー等を用いて接触面に吹き付ける方法、シート状やテープ状の摩擦低減剤を、接触面に貼り付ける方法が挙げられる。
【００４４】
接触面に摩擦低減剤が塗布され又は貼り付けられたシリンダボア壁の保温部材を、溝状冷却水流路内に入れ込み、溝状冷却水流路内にシリンダボア壁の保温部材を組み付ける方法としては、特に制限されず、溝状冷却水流路にシリンダボア壁の保温部材を手で押し込む方法、溝状冷却水流路にシリンダボア壁の保温部材を専用の治具使って押し込む方法が挙げられる。
【００４５】
なお、シリンダボア壁の保温部材の接触面に摩擦低減剤を塗布し又は貼り付ける時期は、溝状冷却水流路内にシリンダボア壁の保温部材を入れ込む作業を行う前であれば、特に制限されず、例えば、溝状冷却水流路内にシリンダボア壁の保温部材を入れ込む作業を行う直前に、接触面に摩擦低減剤を塗布し又は貼り付けて、その後速やかに入れ込み作業を行ってもよいし、予め、接触面に摩擦低減剤を塗布し又は貼り付けて、接触面に摩擦低減剤を塗布し又は貼り付けたシリンダボア壁の保温部材を多数用意しておき、それらを、入れ込み作業を行う現場で、順次、溝状冷却水流路内に入れ込む作業を行ってもよい。
【符号の説明】
【００４６】
１、１ａ、１ｂ、３１  保温部材
２ａ、２ｂ        固定部材
３ａ、３ｂ        連結部
４ａ、４ｂ        対壁接触部
５ａ、５ｂ、３５  接触面
１１              シリンダブロック
１２              ボア
１３              シリンダボア壁
１４              溝状冷却水流路
１５              冷却水供給口
１６              冷却水排出口
１７              シリンダボア壁１３の溝状冷却水流路１４側の壁面
１８              シリンダボア壁１３とは反対側の溝状冷却水流路１４の壁面
２１              冷却水が流れる方向
２２              埋め込み部
２３              シリンダボア壁の周方向
３６              保温部材の固定板
３７              貫通孔
１３１            溝状冷却水流路の上端
１３２            溝状冷却水流路の下端
【図１】
2014177926.tif 000003
【図２】
2014177926.tif 000004
【図３】
2014177926.tif 000005
【図４】
2014177926.tif 000006
【図５】
2014177926.tif 000007
【図６】
2014177926.tif 000008
【図７】
2014177926.tif 000009
【図８】
2014177926.tif 000010
【図９】
2014177926.tif 000011